(57)【要約】【課題】  スリーブと制限手段の二つ以上の位置決め凹溝とそれに対応する位置決め凸部の相互係合を利用し、回転時の磨損を減らすほか、ヒンジ位置決めの安定性を増した携帯電話のヒンジ装置の提供。【解決手段】  ヒンジ装置は、二つの物品間の接続部分に配置され、それは、スリーブ、制限手段、回転手段、圧縮バネ及び軸棒を具え、圧縮バネと制限手段がスリーブ内に取り付けられ、軸棒と回転手段の同期により、圧縮バネに対して圧縮を行ない、第１位置と第２位置の間で反復回転できる。【選択図】        図２
0003102440.tif 000002
【実用新案登録請求の範囲】
【請求項１】
二つの部材の接続部分に配置されるヒンジ装置において、該ヒンジ装置はスリーブ（１１）と、制限手段（１２）と、回転手段（１３）と、圧縮バネ（１４）と、軸棒（１５）とを具え、
該スリーブ（１１）はそのうち一つの部材の接続部分に固定されて、二つの部材の枢軸とされ、内側に二つ以上の位置決め凹溝（１１３）を具え、
該制限手段（１２）は、その外周に上述の位置決め凹溝（１１３）に対応し組み合わされる位置決め凸部（１２１）を具え、該スリーブ（１１）の軸方向に沿って常態位置と非常態位置の間を移動し、
該回転手段（１３）は、もう一つの部材の接続部分に固定され、該制限手段（１２）と結合される回転凸部（１３２）と凹溝（１３３）を具え、常態時に該制限手段（１２）と結合し、且つ第１位置と第２位置の間で反復回転可能であり、
該圧縮バネ（１４）は、該スリーブ（１１）内に挿入され、一端が該スリーブ（１１）の底部に当接し、もう一端が制限手段（１２）に当接し、常態時に該回転手段（１３）が該制限手段（１２）と常態位置を維持し、
該軸棒（１５）は、一端が回転手段（１３）に接続されて第１位置と第２位置の間で反復回転し、且つ回転の軸方向に沿って常態位置と非常態位置の間を移動可能で、もう一端が制限手段（１２）と圧縮バネ（１４）を通り、該制限手段（１２）を移動時に安定して制御することを特徴とする、ヒンジ装置。
【請求項２】
請求項１記載のヒンジ装置において、スリーブ（１１）の底部がワッシャ（１６）を介して軸棒（１５）のもう一端に接続されたことを特徴とする、ヒンジ装置。
【考案の詳細な説明】
【技術分野】
【０００１】
本考案はヒンジ装置に係り、特に新たに設計されたスリーブと制限手段の相互結合の構造により、回転時の磨損を防止したヒンジ装置に関する。
【背景技術】
【０００２】
携帯電話は軽量、薄型、コンパクトで携帯に便利であることが求められ、衣類のポケットやスーツケースに入れて携帯されることが多い。しかし、携帯電話のキーは通常携帯電話本体に設けられるため、誤接触による誤ダイアルが発生しやすく、不必要な費用や問題を形成する。メーカーはこの問題を解決するため、キーにコードロック機能を設計しているが却って操作上の不便となる。
【０００３】
このためカバー改変式の携帯電話が出現し、カバーを開閉するため、携帯電話本体とカバーの間にはヒンジ装置が設けられる。周知の携帯電話のヒンジ装置には、例えば特許文献１があり、このヒンジ装置は、ケースを具え、該ケース内部に軸棒、カム、弾性手段及び回転軸シールが設けられ、ケースに案内切口と溝が設けられ、軸棒とカムの回転角度を制御する。しかし、この構造は、ケースに案内切口と溝を開設しなればならず、且つケースの強度を考慮するとケース壁面を薄く削ることができず、全体体積が比較的大きい。特許文献２には円柱状ケースが記載され、該ケース内にロッド、軸、カム構造及び弾性手段が設けられ、別にワッシャ、ネジ及びＯリングを組み合わせる必要があり、軸でロッドを駆動し、並びにカム構造を駆動して回転させる。この構造の部品は複雑であり、且つ携帯電話に応用される時、一対のヒンジ構造を設置しなければならず、全体体積をコンパクトにすることができない。以上の構造の欠点を解決するため、特許文献３では第１カム、第２カム、案内手段、弾性手段及び伸縮手段を利用しカバーの開閉を制御している。この構造は大幅にヒンジ構造の体積を減らすことができるが、構造の外部にケースを具備しないため、位置決めと組み付けに困難があり、且つ全体構造強度が高くなく、使用寿命が短くなる。
【０００４】
【特許文献１】米国特許公告第５６９７１２４号明細書
【特許文献２】米国特許公告第５７２４６８３号明細書
【特許文献３】米国特許公告第５９３７０６２号明細書
【考案の開示】
【考案が解決しようとする課題】
【０００５】
以上の説明から分かるように、周知の技術は構造が複雑で構造強度が十分でない。このため、本考案は構造が簡単で強度が十分である携帯電話のヒンジ装置を提供するものである。
【０００６】
本考案の目的は、一種の携帯電話のヒンジ装置を提供することにあり、それはスリーブと制限手段の二つ以上の位置決め凹溝とそれに対応する位置決め凸部の相互係合を利用し、回転時の磨損を減らすほか、ヒンジ位置決めの安定性を増したものとする。
【０００７】
本考案の携帯電話のヒンジ装置は、二つの物品間の接続部分に配置され、それは、スリーブ、制限手段、回転手段、圧縮バネ及び軸棒を具え、圧縮バネと制限手段がスリーブ内に取り付けられ、軸棒と回転手段の同期により、圧縮バネに対して圧縮を行ない、第１位置と第２位置の間で反復回転できる。
【課題を解決するための手段】
【０００８】
請求項１の考案は、二つの部材の接続部分に配置されるヒンジ装置において、該ヒンジ装置はスリーブ（１１）と、制限手段（１２）と、回転手段（１３）と、圧縮バネ（１４）と、軸棒（１５）とを具え、
該スリーブ（１１）はそのうち一つの部材の接続部分に固定されて、二つの部材の枢軸とされ、内側に二つ以上の位置決め凹溝（１１３）を具え、
該制限手段（１２）は、その外周に上述の位置決め凹溝（１１３）に対応し組み合わされる位置決め凸部（１２１）を具え、該スリーブ（１１）の軸方向に沿って常態位置と非常態位置の間を移動し、
該回転手段（１３）は、もう一つの部材の接続部分に固定され、該制限手段（１２）と結合される回転凸部（１３２）と凹溝（１３３）を具え、常態時に該制限手段（１２）と結合し、且つ第１位置と第２位置の間で反復回転可能であり、
該圧縮バネ（１４）は、該スリーブ（１１）内に挿入され、一端が該スリーブ（１１）の底部に当接し、もう一端が制限手段（１２）に当接し、常態時に該回転手段（１３）が該制限手段（１２）と常態位置を維持し、
該軸棒（１５）は、一端が回転手段（１３）に接続されて第１位置と第２位置の間で反復回転し、且つ回転の軸方向に沿って常態位置と非常態位置の間を移動可能で、もう一端が制限手段（１２）と圧縮バネ（１４）を通り、該制限手段（１２）を移動時に安定して制御することを特徴とする、ヒンジ装置としている。
請求項２の考案は、請求項１記載のヒンジ装置において、スリーブ（１１）の底部がワッシャ（１６）を介して軸棒（１５）のもう一端に接続されたことを特徴とする、ヒンジ装置としている。
【考案の効果】
【０００９】
本考案のヒンジ装置は、スリーブと制限手段の二つ以上の位置決め凹溝とそれに対応する位置決め凸部の相互係合を利用し、回転時の磨損を減らすほか、ヒンジ位置決めの安定性を増している。
【考案を実施するための最良の形態】
【００１０】
図１、２に示されるように、本考案のヒンジ装置は、二つの部材の接続部分に配置されるヒンジ装置において、該ヒンジ装置はスリーブ（１１）と、制限手段（１２）と、回転手段（１３）と、圧縮バネ（１４）と、軸棒（１５）とを具えている。
【００１１】
該スリーブ（１１）はその両側に矩形状を呈する係止部（１１１）を具え、二つの部材間の接合部分に固定され、且つスリーブ（１１）の一端は外向きの開口である第１出口（１１２）とされ、その内壁面に複数の位置決め凹溝（１１３）が設けられ、別端は第２出口（１１４）とされ、第２出口（１１４）の外径は第１出口（１１２）の外径より小さい。
【００１２】
該制限手段（１２）は、一端に対称な円弧状の位置決め凹溝（１２３）と位置決め凸部（１２２）を具え、その外周にスリーブ（１１）内壁面の二つ以上の位置決め凹溝（１１３）に対応する二つ以上の位置決め凸部（１２１）が配置され、該制限手段（１２）はスリーブ（１１）の径方向に回転し、別端に中空の円柱体（１２４）が設けられ、該制限手段（１２）は図の点線に指示されるようにスリーブ（１１）内に取り付けられ、制限手段（１２）がスリーブ（１１）の軸方向に沿って状態位置と非状態位置の間で移動可能とされる。
【００１３】
該回転手段（１３）は、その両側に矩形状の係止部（１３１）が設けられて二つの物品の接続部分に固定され、回転手段（１３）の一端は平面（１３５）とされ並びに円形出口（１３４）を具え、別端に対称な円弧状回転凸部（１３２）と凹溝（１３３）が設けられ、制限手段（１２）の対称な円弧状の位置決め凹溝（１２３）と位置決め凸部（１２２）に結合され、回転手段（１３）の外径はスリーブ（１１）の第１出口（１１２）の外径よりやや小さく、図中の点線に指示されるように、回転手段（１３）の局部がスリーブ（１１）内に挿入され、回転手段（１３）が第１位置と第２位置の間で反復回転し、並びに回転の軸方向に沿って常態位置と非常態位置の間で移動する。回転手段（１３）が回転する時、回転の力は分散して制限手段（１２）の外周の位置決め凸部（１２１）とスリーブ（１１）内の位置決め凹溝（１１３）に至り、磨損と変形を形成しにくい。
【００１４】
該圧縮バネ（１４）は、その両端がスリーブ（１１）の第２出口（１１４）部分と制限手段（１２）の円柱体（１２４）の中空部分に当接し、圧縮バネ（１４）がスリーブ（１１）内に挿入され（図中の点線に指示されるとおり）、常態で回転手段（１３）と制限手段（１２）がいわゆる常態位置を維持する。
【００１５】
該軸棒（１５）は、可塑性の高い金属材料で形成され、自身が主軸（１５３）を具え、並びに主軸（１５３）を挟んで一端に円形の上部（１５１）が設けられ、該上部（１５１）の下端に軸棒（１５）外周に径方向に沿って円形凹溝（１５２）が設けられて回転手段（１３）の円形出口（１３４）の辺縁と係合され、且つ上部（１５１）が回転手段（１３）の平面（１３５）より突出し、該軸棒（１５）の別端に外径が主軸（１５３）の外径より小さい係止部（１５４）が設けられ、ワッシャ（１６）をスリーブ（１１）の第２出口（１１４）部分に接続するのに供される。並びに連接手段により、制限手段（１２）、回転手段（１３）及びスリーブ（１１）が連結され、並びに回転手段（１３）と一緒に同期回転する。
【００１６】
図３、４、５に示されるように、カバー（１７）と主体（１８）が閉合される時は、第１位置とされ、このとき、回転手段（１３）と制限手段（１２）は常態位置（図３）を維持する。回転手段（１３）の回転凸部（１３２）と凹溝（１３３）が制限手段（１２）の位置決め凹溝（１２３）と凸部（１２２）に沿って回転する時、回転手段（１３）と制限手段（１２）は非常態位置（図４）を維持し、別にカバー（１７）が第１位置から回転して第２位置に至る時、回転手段（１３）と制限手段（１２）がもとの常態位置に回復し、このときカバー（１７）と主体（１８）はすでに開放された状態を呈する。
【００１７】
図５は本考案の別の応用例を示し、本考案のヒンジ装置が開閉式携帯電話の接続部分に取り付けられ、スリーブ（１１）の係止部（１１１）が携帯電話の主体（１８）に固定され、回転手段（１３）の係止部（１３１）が携帯電話のカバー（１７）に固定され、第１位置と第２位置の間で反復して開放及び閉合できる。
【００１８】
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００１９】
【図１】本考案の斜視図である。
【図２】本考案の分解斜視図である。
【図３】本考案の動作図である。
【図４】本考案の動作図である。
【図５】本考案の別の応用例である。
【符号の説明】
【００２０】
（１１）スリーブ
（１２）制限手段
（１３）回転手段
（１４）圧縮バネ
（１５）軸棒
（１１１）係止部
（１１２）第１出口
（１１３）位置決め凹溝
（１１４）第２出口
（１２２）位置決め凸部
（１２３）位置決め凹溝
（１２４）円柱体
（１３１）係止部
（１３２）回転凸部
（１３３）凹溝
（１３４）円形出口
（１３５）平面
（１５１）上部
（１５２）円形凹溝
（１５３）主軸
（１５４）係止部
（１６）ワッシャ
（１７）カバー
（１８）主体
【図１】
0003102440.tif 000003
【図２】
0003102440.tif 000004
【図３】
0003102440.tif 000005
【図４】
0003102440.tif 000006
【図５】
0003102440.tif 000007